(57)【要約】【課題】  個人ごとにユーザを監視することができ、個人ごとに手洗いの状況を監視できる。【解決手段】本発明の手洗監視システムでは、電解質が溶解した電解質水溶液を電気分解して生成された電解水を用いた手洗用電解水を供給する電解水供給手段と、近距離通信によって識別子を送信するＩＤ（Identification）手段と、電解水供給装置の内部又は外部近傍に配置され、ＩＤ装置から送信されるＩＤ情報に基づく監視情報を送信する監視情報送信手段と、監視情報送信手段から送信される監視情報を受信し、識別子ごとに集計する集計手段とを有する。【選択図】  図１
2016059702.tif 000002
【特許請求の範囲】
【請求項１】
電解質が溶解した電解質水溶液を電気分解して生成された電解水を用いた手洗用電解水を供給する電解水供給手段と、
近距離通信によって識別子を送信するＩＤ（Identification）手段と、
前記電解水供給装置の内部又は外部近傍に配置され、前記ＩＤ装置から送信されるＩＤ情報に基づく監視情報を送信する監視情報送信手段と、
前記監視情報送信手段から送信される前記監視情報を受信し、前記識別子ごとに集計する集計手段と
を有することを特徴とする手洗監視システム。
【請求項２】
前記集計手段は、
前記監視情報に基づいて、前記識別子に対応する人物の滞在時間を集計する
ことを特徴とする請求項１に記載の手洗監視システム。
【請求項３】
前記監視情報送信手段は、
少なくとも、前記識別子に対応する人物が検出された検出開始時時刻及び検出が終了した検出終了時刻を前記集計手段に送信する
ことを特徴とする請求項２に記載の手洗監視システム。
【請求項４】
前記監視情報送信手段は、
前記電解水供給手段が実際に供給した電解水の供給状況を表す供給情報を前記集計手段に送信する
ことを特徴とする請求項３に記載の手洗監視システム。
【請求項５】
前記監視情報送信手段は、
前記識別子に対応する人物が検出され続けた時間を滞在時間として計測し、前記集計手段に送信する
ことを特徴とする請求項１に記載の手洗監視システム。
【請求項６】
前記電解水供給手段は、
電解質が溶解した水溶液である電解水原料液を電気分解して電解水を生成し、当該電解水を希釈用の希釈水で希釈して手洗用電解水を生成し、
前記集計手段は、
前記供給情報に基づいて、前記電解水原料液の残量を推測する
ことを特徴とする請求項２に記載の手洗監視システム。
【請求項７】
前記電解水供給手段は、
前記人物の手洗用電解水の供給要求を感知するセンサを有する
ことを特徴とする請求項１に記載の手洗監視システム。
【請求項８】
前記監視情報送信手段は、
前記電解水供給手段の外部に設けられ、
前記電解水が供給されたことを表す信号を受信すると、供給情報を前記集計手段に送信する
ことを特徴とする請求項７に記載の手洗監視システム。
【請求項９】
前記監視情報送信手段は、
音声出力手段を有し、
前記識別子に対応する集計結果に応じたアナウンスを行う
ことを特徴とする手洗監視システム。
【請求項１０】
前記電解水供給手段は、
予め定められた供給時間に亘って、前記手洗用電解水を供給する
ことを特徴とする請求項７に記載の手洗監視システム。
【請求項１１】
センサは、人物の手を検出し、
前記電解水供給手段は、
前記人物の手が検出されている間、前記手洗用電解水を供給する
ことを特徴とする請求項７に記載の手洗監視システム。
【請求項１２】
電解水供給手段に取り付けられ、
前記電解水供給手段が実際に供給した電解水の供給状況を表す供給情報を受信する供給情報受信手段と、
近距離通信によってＩＤ（Identification）手段から送信された識別子を受信する識別子受信手段と、
前記ＩＤ装置から送信されるＩＤ情報に基づく監視情報を外部の集計装置に送信する監視情報送信手段と、
を有することを特徴とする監視情報送信装置。
【発明の詳細な説明】
【技術分野】
【０００１】
本発明は、例えば医療品や衛生品、食品などを取り扱う現場に設置される手洗い用の電解水供給装置に使用される手洗監視システムに関するものである。
【背景技術】
【０００２】
従来、洗浄などの分野において、電解水供給装置が広く用いられている（例えば特許文献１参照）。
【０００３】
酸性を呈する電解水は、除菌効果を有することから、例えば家畜などの舎屋に噴霧したり、野菜や卵の洗浄などに広く使用されている。特に塩素系の酸性電解水は、除菌・殺菌力に優れており、食品衛生法において殺菌料（次亜塩素酸水）として厚生労働省から認可されている。
【０００４】
また、この除菌効果を活用して、電解水は手洗い用途にも使用されている。
【先行技術文献】
【特許文献】
【０００５】
【特許文献１】特開２００９−２６８９９７号公報
【発明の概要】
【発明が解決しようとする課題】
【０００６】
ところで、病院や介護施設、食品を扱う現場などでは、衛生管理上、手洗いを徹底することが求められており、監視を行うなどして個人ごとに管理を行うことが望ましい。
【０００７】
本発明はこのような問題を解決するためになされたもので、その目的は、個人ごとに手洗いの状況を監視できる手洗監視システム及び監視情報送信装置を提供するものである。
【課題を解決するための手段】
【０００８】
かかる課題を解決するため、本発明の手洗監視システムでは、電解質が溶解した電解質水溶液を電気分解して生成された電解水を用いた手洗用電解水を供給する電解水供給手段と、近距離通信によって識別子を送信するＩＤ（Identification）手段と、電解水供給装置の内部又は外部近傍に配置され、ＩＤ装置から送信されるＩＤ情報に基づく監視情報を送信する監視情報送信手段と、監視情報送信手段から送信される監視情報を受信し、識別子ごとに集計する集計手段とを有するようにした。
【０００９】
これにより、個人ごとにユーザを監視することができ、個人ごとに手洗いの状況を監視できる。
【００１０】
また、本発明の監視情報送信装置は、電解水供給手段に取り付けられ、電解水供給手段が実際に供給した電解水の供給状況を表す供給情報を受信する供給情報受信手段と、近距離通信によってＩＤ（Identification）手段から送信された識別子を受信する識別子受信手段と、ＩＤ装置から送信されるＩＤ情報に基づく監視情報を外部の集計装置に送信する監視情報送信手段とを有するようにした。
【００１１】
これにより、個人ごとにユーザを監視することができ、個人ごとに手洗いの状況を監視できる。
【発明の効果】
【００１２】
本発明は、個人ごとにユーザを監視することができ、個人ごとに手洗いの状況を監視できる手洗監視システム及び監視情報送信装置を実現できる。
【図面の簡単な説明】
【００１３】
【図１】手洗監視システムの構成を示す略線図である。
【図２】電解水供給装置の構成を示す略線図である。
【図３】人物検出装置の構成を示す略線図である。
【図４】ＩＤ装置の構成を示す略線図である。
【図５】集計装置の構成を示す略線図である。
【図６】監視情報送信処理手順を示す略線図である。
【発明を実施するための形態】
【００１４】
次に本発明を実施するための形態について図面を参照して説明する。
【００１５】
図１に示す１は、全体として手洗監視システムを示している。手洗監視システム１は、電解水供給装置２と、人物検出装置３と、ＩＤ（Identification）装置４と、集計装置５とを有している。
【００１６】
図２に示すように、電解水供給装置２は、図示しないＭＰＵ（Micro Processing Unit）、ＲＯＭ（Read Only Memory）及びＲＡＭ（Random Access Memory）から構成される制御部２１が電解水供給装置２の全体を統括的に制御するようになされている。
【００１７】
センサ２２は、衛生上の理由により、例えば赤外線など非接触式のものであることが好ましい。例えばセンサ２２は、ユーザがセンサ２２の前に手をかざすことにより、ユーザの手洗要求を感知すると、手洗要求信号を制御部２１に供給する。
【００１８】
制御部２１は、センサ２２から手洗要求信号を受信すると、手洗用電解水の生成を開始する。
【００１９】
具体的に、制御部２１は、電解水生成部２４及び混合希釈部２５に対して生成開始信号を供給することにより、電解水の生成を開始させる。
【００２０】
電解水生成部２４には、原料液貯留部２３が接続されている。原料液貯留部２３は、電解水原料液を貯蔵すると共に、電解水生成部２４に対して電解水原料液を供給する。電解水の原液として水道水ではなく調整された電解水原料液を用いることにより、フィルターを設置することなく電極や配管の石灰化を防止でき、電解水供給装置２の小型化が可能となる。
【００２１】
この電解水原料液としては、次亜塩素酸を発生させるため、電解質の一部又は全部として塩素を含有するものが使用される。好ましくは、塩化ナトリウムと塩酸とを混合した水溶液を使用する。次亜塩素酸の含有量が安定化するｐＨを保つためである。
【００２２】
さらに、本実施の形態における電解水原料液は、次亜塩素酸の存在量を向上させる調整機能を有する調整ガスの微細気泡を含有しても良い。例えば、調整ガスとして酸素ガス（Ｏ２）若しくはオゾンガス（Ｏ３）を用いることにより、塩素の酸化を促進することができ、結果として電解水中の次亜塩素酸の存在量を向上させることができる。
【００２３】
また、調整ガスとして塩素ガス（Ｃｌ２）を用いることにより、電解水原料液中の塩素含有量を増大させることができ、結果として電解水中の次亜塩素酸の存在量を向上させることができる。また、調整ガスとして水素ガス（Ｈ２）を使用することにより、電解水のｐＨを２．７〜６．５の範囲にコントロールし易くできる。
【００２４】
微細気泡は、１０〜９００ｎｍのいわゆる微細気泡であり、電解水原料液中において、数ヶ月以上に亘って安定的に存在することができる。なお、本発明において、微細気泡は必ずしも必須ではない。
【００２５】
電解水生成部２４は、電解水原料液を電気分解して電解水を製造し、混合希釈部２５に供給する。電解水生成部２４としては、公知のものを使用することができ、例えば無隔膜式の電解槽を用いることができる。また、２槽式、３槽式の電解槽で生成される酸性及びアルカリ性の電解水を混合しても良い。
【００２６】
混合希釈部２５は、例えば水道や純水など、電解水を希釈する希釈水の供給装置に接続されており、予め設定された混合比率で供給される電解水及び希釈水を混合し、手洗用電解水として排出部２６に供給する。排出部２６は、供給された手洗用電解水を排出する。
【００２７】
制御部２１は、予め設定された供給時間に亘って手洗用電解水の供給を行うと、電解水生成部２４及び混合希釈部２５に対して供給停止信号を供給する。
【００２８】
このように、電解水生成装置は、ユーザの手洗用電解水の供給要求に応じて、予め設定された時間に亘って手洗用電解水を供給するようになされている。
【００２９】
図３に示すように、人物検出装置３は、図示しないＭＰＵ、ＲＯＭ及びＲＡＭから構成される制御部３１が人物検出装置３の全体を統括的に制御するようになされている。
【００３０】
人物検出装置３は、例えば音波やBluetooth（登録商標）といった数ｍを通信範囲とする、いわゆる近距離通信機能と、有線LAN（Local Area Network）や無線LANなどといった比較的長距離での通信が可能ないわゆるローカルネットワークとの２つの通信機能を有している。
【００３１】
制御部３１は、近距離通信及びローカルネットワークを使用し、外部インターフェース３４を介して外部装置と通信を行う。
【００３２】
図４に示すように、ＩＤ装置４は、図示しないＭＰＵ、ＲＯＭ及びＲＡＭから構成される制御部４１がＩＤ装置４の全体を統括的に制御するようになされている。制御部４１は、近距離通信機能を使用し、外部インターフェース４２を介して外部装置と通信を行う。
【００３３】
人物検出装置３は、近距離通信機能を使用し、検出範囲内におけるＩＤ装置４の有無を検出する。
【００３４】
具体的に、人物検出装置３は、ＩＤ装置４に対する応答要求信号を送信する。ＩＤ装置４は、人物検出装置３の検出範囲内に入ったことにより、応答要求信号を受信すると、自己に登録されたユーザの識別子をＩＤ情報信号として人物検出装置３に送信する。この信号の送受信は、ＩＤ装置４が人物検出装置３の検出範囲内に存在する間に亘って行われる。
【００３５】
制御部３１は、識別子信号を受信すると、ＩＤ検出部３２によって当該ＩＤ情報信号からＩＤ装置４の識別子を判別する。また、制御部３１は、計測部３３によって、ＩＤ装置４が検出範囲内で検出された状況を表す監視情報を生成し、識別子と共に監視情報信号として集計装置５に送信する。
【００３６】
なお、監視情報は、ユーザが検出された情報でもよいが、ＩＤ装置４が検出され続けた時間、又はＩＤ装置４が検出され始めた検出開始時刻及び最後に検出された検出終了時刻など、ユーザの検出範囲内における滞在時間を表す情報であることが好ましい。
【００３７】
また、人物検出装置３は、電解水供給装置２の制御部２１と接続されている。制御部２１は、電解水生成部２４及び混合希釈部２５に供給する生成開始信号を人物検出装置３にも供給する。
【００３８】
人物検出装置３の制御部３１は、生成開始信号を受信すると、受信時刻と生成開始信号とを関連付け、ローカルネットワークを介して送信する。集計装置５の集計部５２は、生成開始信号を受信すると、現在の電解水原料液の残量を計算により推測する。
【００３９】
また、集計部５２は、監視情報と生成開始信号の受信時刻とを照らし合わせ、ユーザが手洗いを実行したことを確認することもできる。例えば、生成開始信号がないのにユーザが検出された場合には、手洗いをすることなく近くを通り過ぎたと判別でき、生成開始信号があるのに短い時間だけユーザが検出された場合には、手洗いをしたかどうかを疑うことができる。
【００４０】
図５に示すように、集計装置５は、コンピュータ構成でなり、図示しないＣＰＵ（Central Processing Unit）、ＲＯＭ及びＲＡＭから構成される制御部５１が集計装置５の全体を統括的に制御するようになされている。
【００４１】
集計装置５の制御部５１は、外部インターフェース５３を介して監視情報信号を受信すると、当該監視情報信号から識別子及び監視情報を生成し、集計処理を行う。
【００４２】
具体的に、制御部５１の集計部５２は、識別子に対応付けられたユーザごとに、監視情報を集計する。この結果、集計部５２は、各ユーザが手洗いに使っている時間を集計することができる。
【００４３】
そして制御部５１は、操作者が操作入力部５４を介して集計結果の表示要求を行うと、集計結果をグラフや一覧表にまとめ、表示部５５に表示させる。
【００４４】
この結果、管理者は、ユーザごとの手洗いの回数及び手洗いに使っている時間を視認することができ、手洗いに関する管理を徹底することができる。
【００４５】
次に、人物検出装置３が実行する監視情報送信処理手順ＲＴ１について、図６のフローチャートを用いて説明する。
【００４６】
人物検出装置３は、監視情報送信処理を開始すると、ステップＳＰ１へ移る。
【００４７】
ステップＳＰ１において、人物検出装置３は、ＩＤ情報信号の受信を待ち受け、ＩＤ情報信号が検出されたか否かについて判別する。否定結果が得られると、人物検出装置３は、ステップＳＰ１においてＩＤ情報信号の受信を待ち受ける。
【００４８】
ステップＳＰ１において肯定結果が得られた場合、このとき人物検出装置３は、このときの時刻を検出開始時刻と決定し、次のステップＳＰ２へ移る。
【００４９】
ステップＳＰ２において、人物検出装置３は、ＩＤ情報信号の受信を継続し、次のステップＳＰ３へ移る。
【００５０】
ステップＳＰ３において、人物検出装置３は、ＩＤ情報信号が検出されなくなったか否かについて判別する。ここで否定結果が得られると、人物検出装置３は、ステップＳＰ２へ戻り、ＩＤ情報信号の受信を継続する。
【００５１】
ステップＳＰ３で肯定結果が得られると、人物検出装置３は、ＩＤ情報信号を最後に受信した時刻を検出終了時刻と決定し、次のステップＳＰ４へ移る。
【００５２】
ステップＳＰ４において、人物検出装置３は、検出開始時刻及び検出終了時刻、並びにＩＤ情報信号から抽出した識別子を監視情報として送信すると、終了ステップへ移って処理を終了する。
【００５３】
以上の構成によれば、手洗監視システム１は、電解質が溶解した電解質水溶液としての電解水原料液を電気分解して生成された電解水を用いた手洗用電解水を供給する電解水供給手段としての電解水供給装置２と、近距離通信によって識別子を送信するＩＤ（Identification）手段としてのＩＤ装置４と、電解水供給装置２の外部近傍に配置され、ＩＤ装置４から送信されるＩＤ情報に基づく監視情報を送信する監視情報送信手段としての人物検出装置３と、人物検出装置３から送信される監視情報を受信し、識別子ごとに集計する集計手段としての集計装置５とを有する。
【００５４】
これにより、手洗監視システム１は、識別子に対応するユーザごとに手洗いの状況を管理することができ、衛生管理を徹底することができる。
【００５５】
集計装置５は、監視情報に基づいて、識別子に対応する人物の滞在時間を集計する。これにより、手洗監視システム１は、ユーザが手洗いに使用した時間を推測でき、衛生管理を徹底することができる。
【００５６】
人物検出装置３は、少なくとも、識別子に対応する人物が検出された検出開始時時刻及び検出が終了した検出終了時刻を集計手段に送信する。
【００５７】
これにより、人物検出装置３は、最初に検出された時刻と最後に検出された時刻を送信するだけで済み、計測部３３の処理負荷を軽減できる。
【００５８】
人物検出装置３は、電解水供給装置２が実際に供給した電解水の供給状況を表す供給情報を集計装置５に送信する。
【００５９】
これにより、集計装置５は、電解水が実際に使用された事実や、電解水原料液の残量などを確認することができる。
【００６０】
人物検出装置３は、識別子に対応する人物が検出され続けた時間を滞在時間として計測し、集計手段に送信する。これにより、集計装置５は、簡易な処理で識別子に対応するユーザごとに滞在時間を把握することができる。
【００６１】
電解水供給装置２は、電解質が溶解した水溶液である電解水原料液を電気分解して電解水を生成し、当該電解水を希釈用の
は、希釈水で希釈して手洗用電解水を生成し、集計装置５は、供給情報に基づいて、電解水原料液の残量を推測する。
【００６２】
これにより、手洗監視システム１では、実際の供給状況に基づいて管理者が電解水原料液の残量を常に把握することができるため、電解水原料液の残量不足によって手洗いができなくなるなどのトラブルを未然に防止できる。
【００６３】
電解水供給装置２は、人物の手洗用電解水の供給要求を感知するセンサ２２を有する。これにより、電解水供給装置２は、必要なときだけ手洗用電解水を供給することができる。
【００６４】
人物検出装置３は、電解水供給装置２の外部に設けられ、手洗用電解水が供給されたことを表す信号を受信すると、供給情報を集計手段に送信する。これにより、人物検出装置３は、電解水供給装置２に対し、供給情報を受け取るための回路を接続するだけで済み、外付けの人物検出装置３を用いることが可能となる。
【００６５】
電解水供給装置２は、予め定められた供給時間に亘って、手洗用電解水を供給する。これにより、電解水供給装置２は、全てのユーザに対して同じ時間に亘って同時間の手洗いを行うよう促すことができる。
【００６６】
人物検出装置３は、電解水供給装置２に取り付けられ、電解水供給装置２が実際に供給した電解水の供給状況を表す供給情報を受信する供給情報受信部としての外部インターフェース３４と、近距離通信によってＩＤ装置４から送信された識別子を受信する識別子受信手段としての外部インターフェース３４及びＩＤ検出部３２と、ＩＤ装置４から送信されるＩＤ情報に基づく監視情報を外部の集計装置５に送信する監視情報送信手段としての計測部３３及び外部インターフェース３４とを有する。
【００６７】
これにより、人物検出装置３は、簡易な構成で、電解水供給装置２に対して外付けで設置することができる。
【００６８】
なお、上述した実施の形態においては、人物検出装置３は音声出力手段を有さないようにした場合について述べた。本発明はこれに限らず人物検出装置３は、音声出力手段を有し、集計装置５から集計結果を取得し、識別子に対応する集計結果に応じたアナウンスを行うようにしても良い。例えば、手洗いが短いユーザに対しては、「ゆっくり手を洗いましょう」などといったアナウンスを行う事ができる。
【００６９】
また、上述した実施の形態においては、電解水供給装置２は、予め設定された量又は時間に亘って手洗用電解水を供給するようにした場合について述べた。本発明はこれに限らず、センサ２２は、人物の手を検出し、電解水供給装置２は、人物の手が検出されている間、手洗用電解水を供給するようにしてもよい。これにより、ユーザごとに必要な量だけ、無駄なく電解水を供給することが可能となる。
【００７０】
さらに、上述した実施の形態においては、人物検出装置３を外付けにしたようにした場合について述べた。本発明はこれに限らず、電解水供給装置２に内蔵してもよい。
【００７１】
さらに、上述した実施の形態においては、人物検出装置３が供給情報として供給開始信号を受信する場合について述べた。本発明はこれに限らず、例えば、供給終了信号であっても良い。また、人物検出装置３は、供給開始信号と供給終了信号の両方を受信し、供給開始信号を受信してから一定時間以上経過しても供給信号が受信できない場合には、電解水原料液が無くなったと判別し、集計装置５に対してその旨を知らせる警告情報を送信することもできる。この場合、集計装置５は、表示部５５に対して速やかに警告情報を表示したり、音声で通知したりすることができる。
【００７２】
さらに、上述した実施の形態においては、電解水供給手段としての電解水供給装置２と、ＩＤ手段としてのＩＤ装置４と、監視情報送信手段としての人物検出装置３と、集計手段としての集計装置５とによって手洗監視システムとしての手洗監視システム１を構成するようにした場合について述べた。本発明はこれに限らず、その他種々の構成による電解水供給手段と、ＩＤ手段と、監視情報送信手段と、集計手段とによって本発明の手洗監視システムを構成してもよい。
【産業上の利用可能性】
【００７３】
本発明は、例えば病院や介護施設などの手洗いスペースに設置される希釈電解水供給装置に適用することができる。
【符号の説明】
【００７４】
１・・・・・・手洗監視システム
２・・・・・・電解水供給装置
３・・・・・・人物検出装置
４・・・・・・ＩＤ装置
５・・・・・・集計装置
【図１】
2016059702.tif 000003
【図２】
2016059702.tif 000004
【図３】
2016059702.tif 000005
【図４】
2016059702.tif 000006
【図５】
2016059702.tif 000007
【図６】
2016059702.tif 000008